(57)【要約】【課題】炊飯器からの炊飯補助具の取り出しをご飯粒を付着させることなく簡単に行えるようにする取出用具を提供する。【解決手段】炊飯器１０に水を張って入れた米の上に多数の小孔１２を壁面に有する容器からなる炊飯補助具１１を載せて炊飯を行った後、炊飯補助具１１に周方向の回転を与えて取り出す取出用具１であり、把持部２に二股状の脚部３、３を設け、該脚部３の先端を前記容器の小孔１２に挿入可能な太さにした。【選択図】      図３
2007289286.tif 000002
【特許請求の範囲】
【請求項１】
炊飯器に水を張って入れた米の上に多数の小孔を壁面に有する容器からなる炊飯補助具を載せて炊飯を行った後、前記炊飯補助具に周方向の回転を与えて取り出す取出用具であって、把持部に二股状の脚部を設け、該脚部の先端を前記容器の小孔に挿入可能な太さにした炊飯補助具の取出用具。
【請求項２】
前記二股状の脚部に互いに反対方向に作用する弾性力を具備させた請求項１に記載の炊飯補助具の取出用具。
【発明の詳細な説明】
【技術分野】
【０００１】
本発明は炊飯補助具の取出用具に関し、さらに詳しくは、炊飯器内に入れた炊飯補助具を炊飯後にご飯粒を付着させずに簡単に取り出せるようにした炊飯補助具の取出用具に関する。
【背景技術】
【０００２】
従来、おいしいご飯の炊き方は多くの人が挑戦してきた課題であり、多数の方法が提案されている。これらの多数の方法のうち、特に図４に示す炊飯補助具を利用する炊飯方法は、新聞などで紹介されてから注目され、多くの利用者が増えている（非特許文献１、２等）。
【０００３】
この図４に示す炊飯方法は、洗米した米を入れ水を張った炊飯器１０の中央に、炊飯補助具として壁面に多数の小孔１２を設けたセラミックス製の小物容器１１を載せて炊くというもので、炊飯器１０の内部に発生した水蒸気が小物容器１１の底部の小孔１２から内部に侵入し、そこで高圧の飽和水蒸気となって上部の小孔１２から噴出したのち、再び米のなかに入って小物容器１１内に侵入する循環を繰り返すため、おねばが出て、もちもち感になった旨味、甘味の増したおいしいご飯が炊きあがるというものである。
【０００４】
しかし、このような炊飯を終了した後、小物容器１１を炊飯器１０から取り出す際には、小物容器１１の外側面に多数のご飯粒が付着した状態になるため、このご飯粒を小物容器１１から除去する作業や洗浄処理などに多大の手間がかかるという問題がある。したがって、炊飯後の小物容器１１の処理作業を簡単に行えるようにすることが課題になっている。
【非特許文献１】日本経済新聞（九州版）、２００５年１月２５日発行
【非特許文献２】読売新聞（長崎版）、２００５年３月９日発行
【発明の開示】
【発明が解決しようとする課題】
【０００５】
本発明の目的は、上述した炊飯補助具を使用する炊飯において、炊飯後に炊飯器から炊飯補助具を取り出す際に炊飯補助具にご飯粒を付着させることなく簡単に取り出せるようにする取出用具を提供することにある。
【課題を解決するための手段】
【０００６】
上記目的を達成する本発明による炊飯補助具の取出用具は、炊飯器に水を張って入れた米の上に多数の小孔を壁面に有する容器からなる炊飯補助具を載せて炊飯を行った後、前記炊飯補助具に周方向の回転を与えて取り出す取出用具であって、把持部に二股状の脚部を設け、該脚部の先端を前記容器の小孔に挿入可能な太さにしたことを特徴とするものである。
【発明の効果】
【０００７】
炊飯に前述した炊飯補助具使用すると、炊飯補助具は炊飯後に本体の半分以上がご飯の中に埋没状態になる。このように埋没した炊飯補助具を引き上げると炊飯補助具の壁面に多数のご飯粒が付着する。しかし、炊飯補助具を直接上方に引き上げるのでなく、周方向に回転を与えて引き上げると、全く炊飯補助具にご飯粒を付着させることなく取り出すことができる。
【０００８】
本発明の取出用具は、上記知見に基づいて、把持部に二股状の脚部を設け、その脚部の先端を炊飯補助具に設けた小孔に挿入可能な太さにしたので、その先端を炊飯補助具容器の小孔から任意に選んだ２個の小孔に差し込み、炊飯補助具に周方向に回転を与えて引き上げるようにすることで、ご飯粒を炊飯補助具に付着させることなく簡単に取り出すことができる。
【発明を実施するための最良の形態】
【０００９】
以下、図に示す本発明の実施形態に基づいて説明する。
図１は、本発明の炊飯補助具の取出用具の一例を示す。
【００１０】
取出用具１は、細幅に打ち抜いた鋼板を二つ折りに屈曲加工したもので、その屈曲部を把持部２とし、二股状に左右２本の脚部３，３を形成している。２本の脚部３，３はそれぞれ先端ほど細くなるように形成され、最先端部が図３に例示する炊飯補助具１１の小孔１２に挿入可能な太さになっている。また、２本の脚部３，３は、鋼板から形成されているため弾性力を有し、両側から互いに接近する方向に挟圧力を与えると鎖線のように変位するが、挟圧力を解くと元の位置に復帰する。
【００１１】
取出用具としては、把持部２に左右２本の脚部３，３を備えた形状であれば、特に限定されるものではなく、図２に示すような単純な形態のものであってもよい。
【００１２】
図２の取出用具１は、鋼線から加工したもので、把持部２をループ状に屈曲して形成し、その把持部２から左右２本の脚部３，３が二股状に延長するように形成されている。かつ、先端部が炊飯補助具１１の小孔１２（図３参照）に挿入可能な太さになっている。この取出用具１も、鋼線から形成されていることで弾性を有しており、両側から与えた挟圧力に対して鎖線のように変形し、かつ挟圧力を解除すると元の位置に復帰するようになっている。また、把持部２がループ状に加工されているため、把持しやすくなっている。
【００１３】
図３（Ａ），（Ｂ）は、本発明の取出用具を使用して、炊飯器から炊飯補助具を取り出す操作を示す。なお、ここで炊飯器とは、一般の鍋釜類のほか、ガス炊飯器、電気炊飯器などを含めた総称をいう。
【００１４】
図３に示すように、炊飯補助具１１は本体容器１１ａと蓋１１ｂとから構成され、その本体容器１１ａと蓋１１ｂとの壁面に多数の小孔１２を貫通するように設けれている。この炊飯補助具１１を、洗米した米を入れて水を張った炊飯器の中央部に置いて炊飯を行うと、炊飯終了時には炊飯補助容器１１が底部をご飯１３の中に埋没した状態になって炊きあげられる。
【００１５】
まず図３（Ａ）のように、本発明の取出用具１を手に持ち、その二股状の脚部３，３の先端を蓋１１ｂの任意の二つの小孔１２，１２に差し込むと共に、脚部３，３の両側から挟圧力を与えて引き上げると、蓋１１ｂを本体容器１１ａから取り外すことができる。
【００１６】
次いで図３（Ｂ）のように、本体容器１１ａの底部にある任意の２個の小孔１２，１２を選択して、二股状の脚部３，３の先端を差し込み、次いで矢印のようにねじって本体容器１１ａに周方向の回転を与える。この回転により本体容器１１ａの壁面からご飯が分離し、かつ脚部３，３の両側に挟圧力を与えて上方へ引き上げると、本体容器１１ａは壁面にご飯粒を付着させることなく炊飯器から取り出される。
【００１７】
本体容器１１ａに与える回転数としては、約半回転以上にすることが好ましく、ご飯粒の付着を殆どなくすことができる。また、本体容器１１ａの回転操作と引き上げ操作とはそれぞれ独立に行ってもよいが、回転操作を行いながら引き上げ操作を同時に行う同時操作であってもよい。
【図面の簡単な説明】
【００１８】
【図１】本発明の炊飯補助具の取出用具を例示する正面図である。
【図２】本発明の炊飯補助具の取出用具の他の実施形態を示す正面図である。
【図３】（Ａ），（Ｂ）は、それぞれ本発明の取出用具の操作を例示する説明図である。
【図４】炊飯補助具の使用状況を説明する概略断面図である。
【符号の説明】
【００１９】
１  取出用具
２  把持部
３  脚部
１０  炊飯器
１１  炊飯補助具
１２  小孔
【図１】
2007289286.tif 000003
【図２】
2007289286.tif 000004
【図３】
2007289286.tif 000005
【図４】
2007289286.tif 000006